(57)【要約】【課題】適切な強度および剛性を維持し、信頼性を低下させることなく、より安価に製造することが可能な静止誘導電器である。【解決手段】静止誘導電器２０は、鉄心２３およびコイル２４を有する静止誘導電器本体２２と、この静止誘導電器本体２２を絶縁媒体３３とともに収納した静止誘導電器タンク２１とを備える。静止誘導電器タンク２１の底面板２５は底面補強材３２により補強される一方、静止誘導電器タンク２１の側面板２７は側面補強材３０、３１によりを補強され、側面補強材３０、３１の強度を底面補強材３２による側面板２７の剛性の向上を考慮した強度とした。【選択図】  図１
2008053262.tif 000002
【特許請求の範囲】
【請求項１】
鉄心およびコイルを有する静止誘導電器本体と、この静止誘導電器本体を絶縁媒体とともに収納した静止誘導電器タンクとを備え、前記静止誘導電器タンクの底面板は底面補強材により補強される一方、前記静止誘導電器タンクの側面板は側面補強材により補強され、前記側面補強材の強度を前記底面補強材による前記側面板の剛性の向上を考慮した強度としたことを特徴とする静止誘導電器。
【請求項２】
前記側面補強材は、上下方向に間隔をおいて複数個配置され、前記底面板側に設けられた前記側面補強材の強度は、前記底面板から離れた側に設けられた前記側面補強材の強度よりも小さくなるように設計されることを特徴とする請求項１記載の静止誘導電器。
【請求項３】
前記側面補強材は、水平方向に間隔をおいて複数個配置されるとともに、複数の分割側面補強材に分割され、前記底面板側に設けられた前記分割側面補強材の強度は、前記底面板から離れた側に設けられた前記分割側面補強材の強度よりも小さくなるように設計されることを特徴とする請求項１記載の静止誘導電器。
【請求項４】
前記側面補強材は、水平方向に間隔をおいて複数個配置され、前記底面板から離れた側から前記底面板側に向かって次第に強度が減少するように設計されることを特徴とする請求項１記載の静止誘導電器。
【請求項５】
前記側面補強材を、前記静止誘導電器タンクの前記静止誘導電器本体側に設けたことを特徴とする請求項１記載の静止誘導電器。
【請求項６】
前記側面板の強度を、前記底面補強材による前記側面板の剛性の向上を考慮した強度とされることを特徴とする請求項１記載の静止誘導電器。
【請求項７】
前記側面板は、複数の分割側面板に分割され、前記底面板側に設けられた前記分割側面板の強度は、前記底面板から離れた側に設けられた前記分割側面板の強度よりも小さくなるように設計されることを特徴とする請求項１記載の静止誘導電器。
【発明の詳細な説明】
【技術分野】
【０００１】
本発明は、変圧器、リアクトル等の静止誘導電器に関する。
【背景技術】
【０００２】
従来の変圧器やリアクトル等の静止誘導電器は、図１１に示すような構成である（例えば特許文献１）。
【０００３】
静止誘導電器１は、静止誘導電器タンク２の内部に静止誘導電器本体３を設けた構成である。
【０００４】
静止誘導電器本体３は、鉄心４とコイル５とで構成され、鉄心４の周囲はコイル５で覆われる。
【０００５】
一方、静止誘導電器タンク２は、互いに対向する底面板６と板状のカバー７、２枚の側面板８および図示しない端面板により６つの面が形成された箱状構造である。２つの側面板８には上部側面補強材９および下部側面補強材１０が溶接によりそれぞれ取付けられる。各上部側面補強材９は側面板８のカバー７側にそれぞれ設けられ、各下部側面補強材１０は、側面板８の底面板６側にそれぞれ設けられる。
【０００６】
さらに、静止誘導電器タンク２の内部には、絶縁ガスあるいは絶縁油等の絶縁媒体１２が封入される。一般に静止誘導電器タンク２に、絶縁ガスあるいは絶縁油等の絶縁媒体１２を注入する際、絶縁媒体１２の品質を保つために、静止誘導電器タンク２内は真空状態とされる。
【０００７】
このため、静止誘導電器タンク２の上部側面補強材９および下部側面補強材１０並びにカバー７、側面板８および端面板は、真空外圧荷重に対して十分な剛性を得られるように設計される。
【０００８】
さらに、図１１に示すように静止誘導電器１を静止誘導電器本体３とともに輸送する場合には、真空外圧荷重に加えて静止誘導電器本体３自身の荷重に十分耐え得るように、底面板６には底面板補強材１１が溶接により取付けられる。
【０００９】
ここで、静止誘導電器１の各部品を日本国内の工場で製造する場合には、人件費が材料費に対して高い。このため、例えば、補強材９、１０、１１の静止誘導電器タンク２への取付位置に応じて必要とされる剛性が互いに異なる場合には、要求される強度ごとに必要な強度の補強材９、１０、１１を設計して材料費の低減を図るということを行わずに、補強材９、１０、１１の剛性を最も強度が要求される強度に統一して、より製造が容易な単一の構造となるように設計される。
【００１０】
このため、静止誘導電器タンク２の上部側面補強材９および下部側面補強材１０は図１２に示すようなモデルにより設計される。すなわち、真空外圧荷重が静止誘導電器タンク２に負荷された場合に、側面板８のみが単独で一様に真空外圧荷重を受け、かつ底面板６およびカバー７から等しい距離となる面に対して対称な変形が側面板８に生じるようなモデルが設定され、このモデルに基づいて上部側面補強材９および下部側面補強材１０が設計される。
【００１１】
この結果、上部側面補強９と下部側面補強１０の剛性条件が同一となり、同様な形状の上部側面補強９および下部側面補強１０が同様な段取りで複数個製造される。
【特許文献１】特開２０００−７７２３８号公報
【発明の開示】
【発明が解決しようとする課題】
【００１２】
近年、日本国内需要の変動や経済のグローバル化等の理由から、静止誘導電器１のみならず多くの製品の販売先は世界的な規模に広がりつつある。しかし、海外における人件費は日本国内よりも安価であるため、日本国内のように高い人件費により製造された製品は、海外における競合他社との価格競争に勝つことが困難な状況となっている。
【００１３】
このような背景から、近年、種々の部品製造はアウトソージング化の傾向にある。静止誘導電器タンク２の補強材９、１０、１１についても、人件費が安価な海外において製造する場合には、製造費よりも材料費をより低減させることが総コスト低減には重要となっている。
【００１４】
本発明はかかる従来の事情に対処するためになされたものであり、適切な強度および剛性を維持し、信頼性を低下させることなく、より安価に製造することが可能な静止誘導電器を提供することを目的とする。
【課題を解決するための手段】
【００１５】
本発明に係る静止誘導電器は、上述の目的を達成するために、請求項１に記載したように、鉄心およびコイルを有する静止誘導電器本体と、この静止誘導電器本体を絶縁媒体とともに収納した静止誘導電器タンクとを備え、前記静止誘導電器タンクの底面板は底面補強材により補強される一方、前記静止誘導電器タンクの側面板は側面補強材によりを補強され、前記側面補強材の強度を前記底面補強材による前記側面板の剛性の向上を考慮した強度としたことを特徴とするものである。
【発明の効果】
【００１６】
本発明に係る静止誘導電器においては、適切な強度および剛性を維持し、信頼性を低下させることなく、より安価に製造することができる。
【発明を実施するための最良の形態】
【００１７】
本発明に係る静止誘導電器の実施の形態について添付図面を参照して説明する。
【００１８】
図１は本発明に係る静止誘導電器の第１の実施形態を示す断面構成図であり、図２は、図１に示す静止誘導電器２０のＸ方向からの矢視図である。
【００１９】
静止誘導電器２０は、静止誘導電器タンク２１の内部に静止誘導電器本体２２を設けた構成である。静止誘導電器２０の静止誘導電器本体２２は、複数の例えば３本の棒状部を一体的に有する鉄心２３と複数のリング状のコイル２４とで構成され、鉄心２３の各棒状部の周囲はそれぞれコイル２４で覆われる。
【００２０】
一方、静止誘導電器２０の静止誘導電器タンク２１は、互いに対向する底面板２５と板状のカバー２６、互いに対向する２枚の側面板２７および互いに対向する２枚の端面板２８により６つの面が形成された箱状構造である。
【００２１】
静止誘導電器タンク２１の２つの側面板２７には複数の側面補強材、例えば上部側面補強材３０および下部側面補強材３１が例えば溶接等の接合手段によりそれぞれ取付けられる。各上部側面補強材３０および下部側面補強材３１は、断面が例えばコ字状にそれぞれ形成され、長手方向が静止誘導電器タンク２１の底面板２５および側面板２７に対して所定の向き、例えば平行となるような向きで側面板２７にそれぞれ設けられる。
【００２２】
各上部側面補強材３０および下部側面補強材３１の長手方向の向きは、少なくとも静止誘導電器タンク２１の底面板２５に対して垂直とならない向きであればよい。
【００２３】
この際、上部側面補強材３０は、側面板２７のカバー２６側に設けられる一方、下部側面補強材３１は、側面板２７の底面板２５側に設けられる。
【００２４】
すなわち、各上部側面補強材３０および下部側面補強材３１は、図７において底面板２５側を下、カバー２６側を上としたときに、上下方向に間隔をおいて配置される。
【００２５】
同様に静止誘導電器タンク２１の底面板２５には単一あるいは複数の例えば５つの底面板補強材３２が溶接等の接合手段により取付けられる。各底面板補強材３２は、断面が例えばコ字状にそれぞれ形成され、長手方向が静止誘導電器タンク２１の底面板２５および端面板２８に対して所定の向き、例えば平行となるような向きで底面板２５にそれぞれ設けられる。
【００２６】
この結果、静止誘導電器タンク２１の各上部側面補強材３０および下部側面補強材３１並びに各底面板補強材３２により各側面板２７および底面板２５が補強されて密閉箱状の容器が形成される。
【００２７】
さらに、静止誘導電器タンク２１の内部には、絶縁ガスあるいは絶縁油等の絶縁媒体３３が封入される。このとき、静止誘導電器タンク２１に、絶縁ガスあるいは絶縁油等の絶縁媒体３３を注入する際、絶縁媒体３３の品質を保つために、一旦静止誘導電器タンク２１内を真空状態とした後、絶縁媒体３３が注入される。
【００２８】
このため、静止誘導電器タンク２１の各上部側面補強材３０および下部側面補強材３１は、主として真空外圧荷重に対して静止誘導電器タンク２１が十分な剛性を得られるように設計される。
【００２９】
一方、静止誘導電器２０を輸送する場合には、静止誘導電器タンク２１とともに静止誘導電器本体２２を吊上げる必要がある。この際、鉄心２３およびコイル２４からなる静止誘導電器本体２２の荷重が底面板２５および各底面板補強材３２に負荷される。
【００３０】
一般に、変圧器等の静止誘導電器本体２２が大型である場合には、真空外圧荷重に対して必要な剛性よりも静止誘導電器本体２２自身の荷重に対する剛性の方が大きい。
【００３１】
このため、各底面板補強材３２には、真空外圧荷重に加えて静止誘導電器本体２２自身の荷重に十分耐え得る剛性が得られるように設計される。この際、各底面板補強材３２は製造費を低減させるために互いに同形状とされる。
【００３２】
図３は、図１に示す静止誘導電器２０において、静止誘導電器タンク２１の上部側面補強材３０および下部側面補強材３１を設計する際の真空外圧モデルを示す図である。
【００３３】
静止誘導電器タンク２１の上部側面補強材３０および下部側面補強材３１を設計する際、図３に示すようなモデル化が行われる。
【００３４】
すなわち、静止誘導電器タンク２１の側面板２７に真空外圧荷重が一様に負荷されて側面板２７が変形するモデルが作成される。ここで、静止誘導電器タンク２１の底面板２５は、静止誘導電器本体２２の荷重にも耐えうる剛性を備えた底面板補強材３２により補強されるため、側面板２７の底面板２５近傍の強度は、側面板２７のカバー２６近傍よりも大きい。
【００３５】
従って、静止誘導電器タンク２１の側面板２７が変形した場合には図３の二点鎖線に示す形状となり、変形量は側面板２７の底面板２５近傍よりも側面板２７のカバー２６近傍のほうが大きい。
【００３６】
そこで、静止誘導電器タンク２１の上部側面補強材３０および下部側面補強材３１は、側面板２７の底面板２５側の強度を考慮して設計される。すなわち、静止誘導電器タンク２１の下部側面補強材３１の長手方向の強度は、底面板補強材３２により補強された側面板２７の底面板２５側が真空外圧荷重に十分耐えうる強度とされる一方、上部側面補強材３０の長手方向の強度は、底面板２５の底面板補強材３２による補強効果が側面板２７の底面板２５側よりも少ないカバー２６側が真空外圧荷重に十分耐えうる強度とされる。
【００３７】
この結果、下部側面補強材３１の長手方向の強度が上部側面補強材３０の長手方向の強度よりも小さくなるように設計される。例えば、下部側面補強材３１の断面積が上部側面補強材３０の断面積よりも小さくなるように設計される。
【００３８】
但し、下部側面補強材３１の長手方向の強度が、底面板補強材３２により補強された側面板２７の底面板２５側が真空外圧荷重に十分耐えうる強度となるように設計されていれば、断面積を変更せずに断面形状を所要の形状として設計しても良く、材質を変更してもよい。
【００３９】
すなわち、静止誘導電器２０は、静止誘導電器本体２２を収納する静止誘導電器タンク２１について、底面板補強材３２による側面板２７の底面板２５側の強度向上を考慮したモデルを作成することにより、側面板２７の底面板２５側に設けられる下部側面補強材３１に必要とされる強度を低減させた構成である。
【００４０】
従来、変圧器やリアクトル等の静止誘導電器１に使用される静止誘導電器タンク２の側面板２７を補強する上部側面補強材９および下部側面補強材１０は、日本国内の自工場あるいは外注業者において製造する場合には、材料費よりも人件費が高いため、人件費に繋がる製造費を低減させるために、過剰な強度であってもより統一した同様な形状に設計されていた。
【００４１】
しかし、より安価な人件費で上部側面補強材９および下部側面補強材１０を製造することができる場合には、製造費よりも材料費を低減させる必要があった。
【００４２】
一方、静止誘導電器２０では、静止誘導電器タンク２１について、底面板補強材３２による側面板２７の底面板２５側の強い剛性を考慮して下部側面補強材３１および上部側面補強材３０が設計されるため、従来発生していた下部側面補強材１０の過剰な強度設計を回避させて、より適切な強度設計を行うことができる。すなわち、静止誘導電器２０では、静止誘導電器タンク２１に用いられる下部側面補強材３１の重量を低減させることが可能となり、あるいは下部側面補強材３１により剛性の小さい材料を使用することが可能となる。このため、静止誘導電器２０では、従来の静止誘導電器１に対して材料費をより安価に抑えて、静止誘導電器２０全体の製造コストを低減させることができる。
【００４３】
尚、静止誘導電器２０の静止誘導電器タンク２１において、側面補強材２９の数は任意であり、３つ以上設けてそれぞれ強度を調整しても良い。
【００４４】
また、静止誘導電器２０の静止誘導電器タンク２１において、カバー２６にも真空外圧荷重に対して十分な剛性を得るために必要に応じて適宜補強材を取付けても良い。
【００４５】
図４は本発明に係る静止誘導電器の第２の実施形態を示す断面構成図である。
【００４６】
図４に示された、静止誘導電器２０Ａでは、静止誘導電器タンク２１Ａの下部側面補強材３１および側面板４０の形状あるいは構成が図１に示す静止誘導電器２０と相違する。他の構成については図１に示す静止誘導電器２０と実質的に異ならないため同一の構成については同符号を付して説明を省略する。
【００４７】
静止誘導電器２０Ａにおける静止誘導電器タンク２１Ａの各側面板４０は、複数の分割側面板、例えばカバー２６側の上部分割側面板４１および底面板２５側の下部分割側面板４２の２つの分割側面板でそれぞれ構成される。
【００４８】
ここで、静止誘導電器タンク２１の上部分割側面板４１および下部分割側面板４２は、底面板補強材３２により補強された底面板２５側の強度を考慮して設計される。すなわち、静止誘導電器タンク２１の下部分割側面板４２は、底面板２５の底面板補強材３２により補強されるため、底面板２５の底面板補強材３２により補強された下部分割側面板４２が真空外圧荷重に十分耐えうる強度とされる。
【００４９】
このため、下部分割側面板４２の強度は上部分割側面板４１の強度よりも小さくなるように設計される。例えば、下部分割側面板４２の厚さが上部分割側面板４１の厚さよりも薄い厚さとされる。
【００５０】
但し、底面板補強材３２により補強された下部分割側面板４２の強度が、真空外圧荷重に十分耐えうる強度となるように設計されていれば、断面積を変更せずに断面形状を所要の形状として設計しても良く、材質を変更してもよい。
【００５１】
一方、静止誘導電器タンク２１Ａの下部分割側面板４２に設けられる下部側面補強材３１は、上部側面補強材３０と同様な形状とされて、製造費の低減が図られる。
【００５２】
すなわち、静止誘導電器２０Ａの静止誘導電器タンク２１Ａは、底面板補強材３２による底面板２５側の強度向上を考慮して側面板４０を複数の分割側面板に分割し、底面板２５側の分割側面板である下部分割側面板４２において必要とされる強度を低減させた構成である。
【００５３】
静止誘導電器２０Ａでは、静止誘導電器タンク２１Ａについて、側面板４０の過剰な強度設計を回避させて、より適切な強度設計を行うことができる。すなわち、静止誘導電器２０Ａでは、静止誘導電器タンク２１Ａの側面板４０の重量を低減させることが可能となり、あるいは側面板４０により剛性の小さい材料を使用することが可能となる。このため、静止誘導電器２０Ａでは、従来の静止誘導電器１に対して材料費をより安価に抑えて、静止誘導電器２０全体の製造コストを低減させることができる。
【００５４】
尚、静止誘導電器２０Ａの静止誘導電器タンク２１Ａにおいて、分割側面板の数は任意であり、３つ以上設けてそれぞれ強度を調整しても良い。
【００５５】
図５は本発明に係る静止誘導電器の第３の実施形態を示す断面構成図である。
【００５６】
図５に示された、静止誘導電器２０Ｂでは、静止誘導電器タンク２１Ｂの側面板４０の構成が図１に示す静止誘導電器２０と相違する。他の構成については図１に示す静止誘導電器２０と実質的に異ならないため同一の構成については同符号を付して説明を省略する。
【００５７】
静止誘導電器２０Ｂの静止誘導電器タンク２１Ｂは、図４に示す静止誘導電器２０Ａの静止誘導電器タンク２１Ａと同様に、側面板４０が複数の分割側面板により構成される。例えば、側面板４０は、カバー２６側の上部分割側面板４１と底面板２５側の下部分割側面板４２とから構成される。
【００５８】
静止誘導電器タンク２１Ｂの側面板４０に設けられる下部側面補強材３１は、図１に示す静止誘導電器２０の静止誘導電器タンク２１と同様に、底面板補強材３２により補強された底面板２５側の強度を考慮して設計される。
【００５９】
すなわち、静止誘導電器２０Ｂの静止誘導電器タンク２１Ｂは、側面板４０を上部分割側面板４１と下部分割側面板４２とに分割して底面板補強材３２により補強された底面板２５側の強度に応じて下部分割側面板４２の強度を設計するのみならず、下部側面補強材３１の強度を底面板補強材３２により補強された底面板２５側の強度に応じて設計した構成である。
【００６０】
静止誘導電器２０Ｂの静止誘導電器タンク２１Ｂでは、図１に示す静止誘導電器２０の静止誘導電器タンク２１および図４に示す静止誘導電器２０Ａの静止誘導電器タンク２１Ａと同等な効果に加えて、より詳細な強度設計を行うことが可能となり、静止誘導電器タンク２１Ｂの強度がより適切な強度となるように調整することができる。このため、静止誘導電器２０Ｂでは、従来の静止誘導電器１に対して材料費をより安価に抑えて、静止誘導電器２０全体の製造コストを低減させることができる。
【００６１】
図６は本発明に係る静止誘導電器の第４の実施形態を示す断面構成図である。
【００６２】
図６に示された、静止誘導電器２０Ｃでは、静止誘導電器タンク２１Ｃにおける下部側面補強材３１の側面板２７への取付位置が図１に示す静止誘導電器２０と相違する。他の構成については図１に示す静止誘導電器２０と実質的に異ならないため同一の構成については同符号を付して説明を省略する。
【００６３】
静止誘導電器２０Ｃの静止誘導電器タンク２１Ｃでは、任意の側面補強材、例えば下部側面補強材３１が側面板２７の静止誘導電器本体２２側すなわち、静止誘導電器タンク２１Ｃの内側に取付けられる。
【００６４】
静止誘導電器２０Ｃの静止誘導電器タンク２１Ｃは、図１に示す静止誘導電器２０の静止誘導電器タンク２１と同等な効果に加え、静止誘導電器タンク２１Ｃの内部に封入される絶縁媒体３３の量を低減させることができる。すなわち、静止誘導電器タンク２１Ｃの内部において、下部側面補強材３１等の側面補強材の容積に相当する量の絶縁媒体３３の使用を不要とすることができる。
【００６５】
また、静止誘導電器２０Ｃの静止誘導電器タンク２１Ｃでは、側面板２７の静止誘導電器本体２２と逆側、すなわち図１に示す静止誘導電器２０において下部側面補強材３１を取付けた静止誘導電器タンク２１の外側の部位に、付属品等の部材を任意に設けることが可能となり、静止誘導電器タンク２１Ｃの設計の自由度を向上させることができる。
【００６６】
図７は本発明に係る静止誘導電器の第５の実施形態を示す断面構成図であり、図８は、図７に示す静止誘導電器２０のＹ方向からの矢視図である。
【００６７】
図７に示された、静止誘導電器２０Ｄでは、静止誘導電器タンク２１Ｄにおける側面補強材５０の構成が図１に示す静止誘導電器２０と相違する。他の構成については図１に示す静止誘導電器２０と実質的に異ならないため同一の構成については同符号を付して説明を省略する。
【００６８】
静止誘導電器２０Ｄの静止誘導電器タンク２１Ｄでは、各側面板２７に単一あるいは複数の、例えば５つの側面補強材５０がそれぞれ溶接等の接合手段により設けられる。側面補強材５０は、複数の分割側面補強材を接続した構成である。側面補強材５０は、例えば、上部分割側面補強材５１および下部分割側面補強材５２の２つの分割側面補強材を接続して構成される。
【００６９】
各分割側面補強材、すなわち上部分割側面補強材５１および下部分割側面補強材５２は、断面が例えばコ字状にそれぞれ形成され、長手方向が静止誘導電器タンク２１の底面板２５およびカバー２６に対して所定の向き、例えば垂直となる向きで側面板２７にそれぞれ設けられる。
【００７０】
上部分割側面補強材５１および下部分割側面補強材５２の長手方向の向きは、少なくとも静止誘導電器タンク２１の底面板２５およびカバー２６に対して平行な向きでなければよい。
【００７１】
すなわち、上部分割側面補強材５１および下部分割側面補強材５２を接続して構成される各側面補強材５０は、底面板２５あるいはカバー２６に対して平行な向きを水平方向としたときに、水平方向に間隔をおいて複数個それぞれ配置される。
【００７２】
ここで、静止誘導電器タンク２１の上部分割側面補強材５１および下部分割側面補強材５２は、底面板補強材３２により補強された底面板２５側の強度を考慮して設計される。すなわち、静止誘導電器タンク２１の下部分割側面補強材５２は、底面板２５の底面板補強材３２により補強されるため、底面板２５の底面板補強材３２により補強された下部分割側面補強材５２が真空外圧荷重に十分耐えうる強度とされる。
【００７３】
このため、下部分割側面補強材５２の強度は上部分割側面補強材５１の強度よりも小さくなるように設計される。例えば、下部分割側面補強材５２の厚さが上部分割側面補強材５１の厚さよりも薄い厚さとされる。
【００７４】
但し、底面板補強材３２により補強された下部分割側面補強材５２の強度が、真空外圧荷重に十分耐えうる強度となるように設計されていれば、断面積を変更せずに断面形状を所要の形状として設計しても良く、材質を変更してもよい。
【００７５】
すなわち、静止誘導電器２０Ｄの静止誘導電器タンク２１Ｄは、側面補強材５０を底面板２５に対しておおよそ垂直方向となる向きで側面板２７に設けるとともに、側面補強材５０を複数の分割側面補強材に分割し、底面板補強材３２による底面板２５側の強度向上を考慮して、側面板２７の底面板２５側に設けられる下部分割側面補強材５２に必要とされる強度を低減させた構成である。
【００７６】
静止誘導電器２０Ｄの静止誘導電器タンク２１Ｄでは、側面補強材５０の過剰な強度設計を回避させて、より適切な強度設計を行うことができる。すなわち、静止誘導電器タンク２１Ｄでは、側面補強材５０の重量を低減させることが可能となり、あるいは側面補強材５０により剛性の小さい材料を使用することが可能となる。このため、静止誘導電器２０Ｄでは、従来の静止誘導電器１に対して材料費をより安価に抑えて、静止誘導電器２０全体の製造コストを低減させることができる。
【００７７】
尚、静止誘導電器２０Ｄの静止誘導電器タンク２１Ｄにおいて、分割側面補強材の数は任意であり、３つ以上設けてそれぞれ強度を調整しても良い。
【００７８】
図９は本発明に係る静止誘導電器の第６の実施形態を示す断面構成図である。
【００７９】
図９に示された、静止誘導電器２０Ｅでは、静止誘導電器タンク２１Ｅにおける側面補強材の構成が図１に示す静止誘導電器２０と相違する。他の構成については図１に示す静止誘導電器２０と実質的に異ならないため同一の構成については同符号を付して説明を省略する。
【００８０】
静止誘導電器２０Ｅの静止誘導電器タンク２１Ｅでは、側面板２７に側面補強材として単一あるいは複数のテーパ側面補強材６０がそれぞれ溶接等の接合手段により設けられる。各テーパ側面補強材６０は、断面が例えばコ字状にそれぞれ形成される一方、長手方向がテーパした形状とされ、長手方向が静止誘導電器タンク２１の底面板２５およびカバー２６に対して所定の向き、例えば垂直となる向きで側面板２７にそれぞれ設けられる。
【００８１】
各テーパ側面補強材６０の長手方向の向きは、少なくとも静止誘導電器タンク２１の底面板２５およびカバー２６に対して平行とならない向きであればよい。
【００８２】
すなわち、各テーパ側面補強材６０は、底面板２５あるいはカバー２６に対して平行な向きを水平方向としたときに、水平方向に間隔をおいて複数個それぞれ配置される。
【００８３】
ここで、静止誘導電器タンク２１の各テーパ側面補強材６０は、底面板補強材３２により補強された底面板２５側の強度を考慮して設計される。すなわち、静止誘導電器タンク２１の各テーパ側面補強材６０および側面板２７の底面板２５側は、底面板２５の底面板補強材３２により補強されるため、テーパ側面補強材６０および側面板２７は底面板２５近傍となるにつれて底面板補強材３２による補強効果が増加する。そこで、テーパ側面補強材６０は、底面板２５の底面板補強材３２により補強された状態で真空外圧荷重に十分耐えうる強度とされる。
【００８４】
このため、テーパ側面補強材６０の強度はカバー２６側から底面板２５側となるにつれて強度が次第に小さくなるように設計される。例えば、テーパ側面補強材６０のうち側面板２７におおよそ垂直となる方向の幅がカバー２６側から底面板２５側となるにつれて次第に小さくなるように設計される。
【００８５】
但し、底面板補強材３２により補強されたテーパ側面補強材６０の強度が、真空外圧荷重に十分耐えうる強度となるように設計されていれば、所定方向の幅を変更せずに断面形状を所要の形状として設計しても良い。
【００８６】
すなわち、静止誘導電器２０Ｅの静止誘導電器タンク２１Ｅは、テーパ形状のテーパ側面補強材６０を底面板２５に対しておおよそ垂直方向となる向きで側面板２７に設け、底面板補強材３２による底面板２５側の強度向上を考慮して、側面板２７の強度をカバー２６側から底面板２５側にかけて次第に減少させた構成である。
【００８７】
静止誘導電器２０Ｅの静止誘導電器タンク２１Ｅでは、図７に示す静止誘導電器２０Ｄの静止誘導電器タンク２１Ｄと同等の効果を得ることができるのみならず、部品数を低減させることができる。このため、静止誘導電器２０Ｅでは、従来の静止誘導電器１に対して材料費をより安価に抑えて、静止誘導電器２０全体の製造コストを低減させることができる。
【００８８】
尚、静止誘導電器２０Ｅの静止誘導電器タンク２１Ｅにおいて、側面補強材は、テーパ側面補強材６０のようにテーパ形状に限らず長手方向に段差を有する形状としてもよい。
【００８９】
図１０は本発明に係る静止誘導電器の第７の実施形態を示す断面構成図である。
【００９０】
図１０に示された、静止誘導電器２０Ｆでは、静止誘導電器タンク２１Ｆにおける側面補強材７０の構成が図４に示す静止誘導電器２０Ａと相違する。他の構成については図４に示す静止誘導電器２０Ａと実質的に異ならないため同一の構成については同符号を付して説明を省略する。
【００９１】
静止誘導電器２０Ｆの静止誘導電器タンク２１Ｆでは、図４に示す静止誘導電器２０Ａの静止誘導電器タンク２１Ａにおいて、複数の側面補強材７０を上部分割側面板４１と下部分割側面板４２で構成される側面板４０に底面板２５および側面板４０に対しておおよそ平行となる向きで設ける代わりに、底面板２５およびカバー２６に対しておおよそ垂直となる向きで設けた構成である。
【００９２】
静止誘導電器２０Ｆの静止誘導電器タンク２１Ｆでは、図４に示す静止誘導電器２０Ａの静止誘導電器タンク２１Ａと同等の効果を得ることができる。
【００９３】
尚、各実施形態における静止誘導電器２０、２０Ａ、２０Ｂ、２０Ｃ、２０Ｄ、２０Ｅ、２０Ｆを複合的に組合せて構成してもよい。
【図面の簡単な説明】
【００９４】
【図１】本発明に係る静止誘導電器の第１の実施形態を示す断面構成図。
【図２】図１に示す静止誘導電器のＸ方向からの矢視図。
【図３】図１に示す静止誘導電器において、静止誘導電器タンクの上部側面補強材および下部側面補強材を設計する際の真空外圧モデルを示す図。
【図４】本発明に係る静止誘導電器の第２の実施形態を示す断面構成図。
【図５】本発明に係る静止誘導電器の第３の実施形態を示す断面構成図。
【図６】本発明に係る静止誘導電器の第４の実施形態を示す断面構成図。
【図７】本発明に係る静止誘導電器の第５の実施形態を示す断面構成図。
【図８】図７に示す静止誘導電器のＹ方向からの矢視図。
【図９】本発明に係る静止誘導電器の第６の実施形態を示す断面構成図。
【図１０】本発明に係る静止誘導電器の第７の実施形態を示す断面構成図。
【図１１】従来の静止誘導電器の構成を示す断面図。
【図１２】図１１に示す従来の静止誘導電器において、静止誘導電器タンクの上部側面補強材および下部側面補強材を設計する際の真空外圧モデルを示す図。
【符号の説明】
【００９５】
２０、２０Ａ、２０Ｂ、２０Ｃ、２０Ｄ、２０Ｅ、２０Ｆ  静止誘導電器
２１、２１Ａ、２１Ｂ、２１Ｃ、２１Ｄ、２１Ｅ、２１Ｆ  静止誘導電器タンク
２２  静止誘導電器本体
２３  鉄心
２４  コイル
２５  底面板
２６  カバー
２７  側面板
２８  端面板
３０  上部側面補強材
３１  下部側面補強材
３２  底面板補強材
３３  絶縁媒体
４０  側面板
４１  上部分割側面板
４２  下部分割側面板
５０  側面補強材
５１  上部分割側面補強材
５２  下部分割側面補強材
６０  テーパ側面補強材
７０  側面補強材
【図１】
2008053262.tif 000003
【図２】
2008053262.tif 000004
【図３】
2008053262.tif 000005
【図４】
2008053262.tif 000006
【図５】
2008053262.tif 000007
【図６】
2008053262.tif 000008
【図７】
2008053262.tif 000009
【図８】
2008053262.tif 000010
【図９】
2008053262.tif 000011
【図１０】
2008053262.tif 000012
【図１１】
2008053262.tif 000013
【図１２】
2008053262.tif 000014